(57)【要約】【課題】  スペース効率良く各種のコネクタを設置することができ、データ通信も安全且つ確実に行うことができる携帯電話用コネクタを提供する。【解決手段】  充電用コネクタ部６を一体成型した樹脂成形体１４に設け、充電用コネクタ部６に隣接してデータ信号用コネクタ部８を一体的に設ける。データ信号用コネクタ部８は金属筒２２によりシールドされ、金属筒２２と充電用コネクタ部６のコモン端子２６とは、圧接用金属片２８を接触させて接続して成る。データ信号用コネクタ部８を囲んだ金属筒２２は、圧接用金属片２８の弾性圧接部２８ａが当接し、コモン端子２６と圧接用金属片２８は、圧接用金属片２８の差し込み片２８ｂが、コモン端子２６の挟持部２６ａに保持される。【選択図】図１
2006079965.tif 000002
【特許請求の範囲】
【請求項１】
充電用コネクタ部を一体成型した樹脂成形体に設けられた携帯電話用コネクタにおいて、前記充電用コネクタ部に隣接してデータ信号用コネクタ部を一体的に設け、前記データ信号用コネクタ部は金属筒によりシールドされ、この金属筒と充電用コネクタ部の端子とは、圧接用金属片が接触して接続されていることを特徴とする携帯電話用コネクタ。
【請求項２】
前記データ信号用コネクタ部を囲んだ前記金属筒は、前記圧接用金属片の弾性圧接部が当接し、前記圧接用金属片の差し込み片が前記充電用コネクタ部の端子の挟持部に保持され接続していることを特徴とする請求項１記載の携帯電話用コネクタ。
【請求項３】
前記データ信号用コネクタ部を囲んだ前記金属筒と前記圧接用金属片が一体に形成され、前記圧接用金属片の差し込み片が、前記充電用コネクタ部の端子の挟持部に圧入され保持されていることを特徴とする請求項１記載の携帯電話用コネクタ。
【請求項４】
前記充電用コネクタ部の端子と前記圧接用金属片が一体に形成され、前記データ信号用コネクタ部を囲んだ前記金属筒に、前記圧接用金属片の弾性圧接部が弾性的に当接していることを特徴とする請求項１記載の携帯電話用コネクタ。
【発明の詳細な説明】
【技術分野】
【０００１】
この発明は、携帯電話に設けられ電源や音響信号等の端子を備えた携帯電話用コネクタに関する。
【背景技術】
【０００２】
従来、携帯電話には、内蔵電池の充電用プラグやヘッドセット用のジャックを接続するコネクタが設けられている。また、専用の接続台に携帯電話を載せて充電するために、接続台に設けられた端子と接触可能な充電用パッドが設けられているものもある。この携帯電話に設けるコネクタとしては、図５（ａ）に示すように、充電用コネクタ部６とヘッドセット用コネクタ部１０を一体化したコネクタ４や、図５（ｂ）のような、充電用コネクタ部６とヘッドセット用コネクタ部１０の間に、充電用パッド７を設けたコネクタ４があった。
【０００３】
近年、携帯電話とパーソナルコンピュータ等と通信ケーブルにより接続し、データの転送を行ったり、携帯電話内部のソフトウェアのバージョンアップ等を行うため、例えばコンビニエンストアや携帯電話売店等に設置した専用端末に、携帯電話のデータ信号端子を接続したりすることがある。そのため、携帯電話には、通信ケーブルを接続するデータ信号用コネクタを備える。
【特許文献１】特開２００４−３２４８０号公報
【特許文献２】特開２００３−３２９０３号公報
【特許文献３】特開２００１−３４６３３５号公報
【発明の開示】
【発明が解決しようとする課題】
【０００４】
上記従来の技術の場合、充電用コネクタ部６とヘッドセット用コネクタ部１０を一体化したコネクタの他に、データ信号用のコネクタを別に設ける必要がある。しかし、普及型の小型携帯電話では、データ信号用コネクタの設置スペースが限られており、小型化の妨げとなっていた。また、安価な機種では充電用パッド７を設けないものがあるが、コネクタユニットの形状を共通化しているため、図５（ａ）に示すように、パッド部分のスペースを無駄にしているものもある。
【０００５】
この発明は、上記従来技術の問題に鑑みて成されたもので、スペース効率が良く各種のコネクタを配置することができ、データ通信も安全且つ確実に行うことができる携帯電話用コネクタを提供することを目的とする。
【課題を解決するための手段】
【０００６】
この発明は、充電用コネクタ部やヘッドセット用コネクタ部等を一体成型した樹脂成形体に設けた携帯電話用コネクタにおいて、前記充電用コネクタ部とヘッドセット用コネクタ部との間等、前記充電用コネクタ部に隣接してデータ信号用コネクタ部を一体的に設け、前記データ信号用コネクタ部は金属筒によりシールドされ、この金属筒と前記充電用コネクタ部の端子とは、圧接用金属片が接触して接続されている携帯電話用コネクタである。
【０００７】
また、前記データ信号用コネクタ部を囲んだ前記金属筒は、前記圧接用金属片の弾性圧接部が当接し、前記圧接用金属片の差し込み片が前記充電用コネクタ部の端子の挟持部に保持され接続しているものである。
【０００８】
または、前記データ信号用コネクタ部を囲んだ前記金属筒と前記圧接用金属片が一体に形成され、前記圧接用金属片の差し込み片が、前記充電用コネクタ部の端子の挟持部に圧入され保持されているものでも良い。さらに、前記充電用コネクタ部の端子と前記圧接用金属片が一体に形成され、前記データ信号用コネクタ部を囲んだ前記金属筒に、前記圧接用金属片の弾性圧接部が弾性的に当接しているものでも良い。
【発明の効果】
【０００９】
この発明の、携帯電話用コネクタによれば、データ信号端子をスペース効率良く携帯電話に取り付けることができ、携帯電話のより小型化に寄与する。また、既存のコネクタと外形上互換性を持たせることができ、組み立て効率がよく、コストも抑えることができる。さらに、データ信号用コネクタ部は省スペースで確実にシールドされ、信号にノイズが入ることがなく、製造も容易なものである。
【００１０】
特に、シールド用の金属筒と他の端子との接続を、弾性的な圧接や挟持により行うことにより、組み立てが容易で電気的信頼性も高いものにすることができる。
【発明を実施するための最良の形態】
【００１１】
以下、この発明の携帯電話用コネクタの一実施形態について、図１〜図４を基にして説明する。この実施形態の携帯電話２のコネクタ４は、３つのコネクタ部を一体の樹脂成形体１４に設けたものである。各コネクタ部の構成は、内蔵電池を充電するための充電用コネクタ部６と、パーソナルコンピュータ等と携帯電話２を通信ケーブルにて接続するデータ信号用コネクタ部８、及びヘッドセットの端子を接続するヘッドセット用コネクタ部１０から成る。この実施形態のコネクタ４は、この３つのコネクタ部６，８，１０が、樹脂成形体１４に一体的に配置されて、携帯電話２に取り付けられるものである。
【００１２】
この実施形態のコネクタ４は、図４に示すように、携帯電話２のプッシュボタン３が設けられている携帯電話本体の端部に取り付けられ、コネクタ４の各接点部分が露出するとともに、内部の基板に接続して取り付けられている。
【００１３】
次に、この実施形態のコネクタ４の構造について説明する。図１に示すように、コネクタ４の上面には、図示しない取付基板の接点に接続される接点部１２を備えた端子１６，１８，２０が突設されている。接点端子１６は、充電用コネクタ部６に各々繋がり、接点端子１８は、データ信号用コネクタ部８に各々繋がり、接点端子２０は、ヘッドセット用コネクタ部１０に各々繋がっている。各接点端子１６，１８，２０は、金属の薄板から適宜な形状に打ち抜かれ、曲げ加工されてメッキが施され、コネクタ４の上面から弾性的に突出する形状に形成され、先端の接点部１２は半円状に曲げ加工されている。
【００１４】
各接点端子１６，１８，２０が突出した樹脂成形体１４の上面と直交する一方の端面には、図１（ｂ）に示すように、各コネクタ部６，８，１０に各々電気的に接続する外部のジャックやプラグが差し込まれる差し込み口９，１１，１３が形成されている。そして、樹脂成形体１４の内部で、各接点端子１６，１８，２０と差し込み口９，１１，１３内に露出した各接点とが繋がっている。図１（ｂ）に示すコネクタ４端面の形状は、各コネクタ部６，８，１０を備えて、携帯電話２の端面に収まる大きさに形成されている。そして、この実施形態のコネクタ４は、充電用コネクタ部６とヘッドセット用コネクタ部１０との間に、データ信号用コネクタ部８を配置したものである。
【００１５】
この実施形態のコネクタ４に設けられたデータ信号用コネクタ部８は、接点端子１８に接続したデータ信号端子２４が、差し込み口１１に設けられ、データ信号端子２４は、差し込み口１１内で略角柱状をした金属筒２２により囲まれて、電気的にシールドされている。そして、金属筒２２は、樹脂成形体１４内に位置して、圧接用金属片２８を介して充電用コネクタ６のコモン端子２６に繋がって接地されている。金属筒２２とコモン端子２６の接続は、図２、図３に示すように、樹脂成形体１４内部で圧接用金属片２８の弾性圧接部２８ａが金属筒２２の延長部２２ａの側面に弾性的に接触して接続されている。また圧接用金属片２８とコモン端子２６は、圧接用金属片２８の差し込み片２８ｂがコモン端子２６の挟持部２６ａに嵌合されて圧接している。挟持部２６ａは、金属片を折り返して、その折り返した端縁から切り込みを形成して成るものである。切り込みの少なくとも一部は、差し込み片２８ｂの厚さよりも狭いもので、切り込みの内部に向かうに従い狭くなり、突き当たりは、応力集中を避けるために円形状に形成されている。これにより、挟持部２６ａに、圧接用金属片２８の差し込み片２８ｂを挟入すると、狭くなった切り込み箇所で圧接状態になる。
【００１６】
金属筒２２は、差し込み口１１内に弾性的に突出した弾性保持片２２ｂを備え、図示しないデータ通信用プラグの側面に圧接する。また、コネクタ４の樹脂成形体１４の背面開口部には、このコネクタ背面形状に形成された樹脂シール３０が貼着され閉鎖されている。
【００１７】
次に、この携帯電話２のコネクタ４の使用方法について説明する。この実施形態のデータ信号用コネクタ部８は、図示しないパーソナルコンピュータや専用端末等と接続し、各種のデータ通信を行う。また、従来と同様に、充電用コネクタ部６は、充電器からの充電端子を接続し、携帯電話２の内蔵する図示しない充電電池を充電し、ヘッドセット用コネクタ部１０は、図示しないヘッドセットの端子を接続して使用する。
【００１８】
この実施形態の携帯電話２のコネクタ４は、一体型の樹脂成形体１４に、充電用コネクタ部６とヘッドセット用コネクタ部１０、およびその間にデータ信号用コネクタ部８を設けてコネクタ４を形成している。そのため、従来のコネクタと外形形状に互換性を持たせることができ、従来の携帯電話の外観形状及び体積を変えることなくデータ信号用コネクタ８を付加することができる。従って、携帯電話２のスペース効率が向上し、小型化にも役立つとともに、一体に形成されるため携帯電話２の組み立て効率も良くなるものである。
【００１９】
また、コネクタ４の金属筒２２、圧接用金属片２８及びコモン端子２６は、互いに圧接させるだけで接続されるため、半田付け等の工程が不要であり、コネクタ４の組み立て効率もよい。さらに、金属筒２２に圧接する圧接用金属片２８の弾性圧接部２８ａは、突起状に形成されており、より強く確実に金属筒２２に圧接する。これにより、データ信号端子２４が金属筒２２により確実にシールドされ、ノイズの影響を受けることなくデータ通信を行うことができ、金属筒２２の接地も、充電用コネクタ部６のコモン端子２６と兼用することにより、コネクタ４の小型化を図ることができる。
【００２０】
なお、この発明の携帯電話用コネクタは上記実施形態に限定されるものではなく、充電用コネクタ部とヘッドセット用コネクタ部との間に限定されず、充電用コネクタ部に隣接してデータ信号用コネクタ部を設け、一体的に形成されていればよく、コネクタの形状等は適宜設定可能なものである。
【００２１】
また、データ信号用コネクタ部を囲んだ金属筒と圧接用金属片が一体に形成され、圧接用金属片の差し込み片が、充電用コネクタ部の端子の挟持部に圧入され保持されているものでも良い。さらに、充電用コネクタ部の端子と圧接用金属片が一体に形成され、データ信号用コネクタ部を囲んだ金属筒に、圧接用金属片の弾性圧接部が弾性的に当接しているものでも良く、これらの形状も問わないものである。
【図面の簡単な説明】
【００２２】
【図１】この発明の一実施形態のコネクタの形状を示す上面図（ａ）、正面図（ｂ）、右側面図（ｃ）である。
【図２】この実施形態のコネクタの内部構造を示す背面図である。
【図３】この実施形態の金属筒と圧接用金属片及びコモン端子の接続状態を示す分解斜視図である。
【図４】この実施形態のコネクタを備えた携帯電話の概略斜視図である。
【図５】従来のコネクタを示す概略正面図である。
【符号の説明】
【００２３】
４  コネクタ
６  充電用コネクタ部
８  データ信号用コネクタ部
１０  ヘッドセット用コネクタ部
１２  接点部
１４  樹脂成形体
１６，１８，２０  接点端子
２２  金属筒
２４  データ信号端子
２６  コモン端子
２６ａ  挟持部
２８  圧接用金属片
２８ａ  弾性圧接部
２８ｂ  差し込み片
【図１】
2006079965.tif 000003
【図２】
2006079965.tif 000004
【図３】
2006079965.tif 000005
【図４】
2006079965.tif 000006
【図５】
2006079965.tif 000007